(57)【要約】【課題】  天体望遠鏡に取り付け、天体望遠鏡の方位と傾きを簡易に設定できる携帯情報端末及び天体観測用プログラムを提供する。【解決手段】  天体観測用のアプリケーション（天体観測用プログラム）をダウンロードしてインストールし、携帯情報端末を天体望遠鏡に取り付け、アプリケーションを起動して、観測対象の天体を選択し、天体のナビゲーションを開始すると、天体状況表示手段が観測対象の天体の方位と傾きを表示し、方位・傾き調整手段が天体の方位と傾きに対して天体望遠鏡を向ける方位と傾きを調整して、天体の方位と傾きに天体望遠鏡の方位と傾きに一致させることができる携帯情報端末及び天体観測用プログラムである。【選択図】        図３
2014186316.tif 000002
【特許請求の範囲】
【請求項１】
天体観測に用いられ、天体望遠鏡に取り付けられる携帯情報端末であって、
制御部と、記憶部と、表示部と、操作部と、通信部とを備え、
前記記憶部には、前記天体望遠鏡の方位と傾きを調整するためのプログラムが記憶され、
前記制御部が前記プログラムを動作させることで実現する機能実現手段として、
前記表示部に表示された観測対象の天体を前記操作部の操作によって選択する天体選択手段と、
前記通信部で観測地点と観測日時を取得し、前記選択された天体について天体座標を演算し、これら情報を基に天体の方位と傾きを演算し、前記携帯情報端末の特定方向に対して天体の方位と傾きを前記表示部に表示する天体状況表示手段と、
前記特定方向を変えることで前記天体の方位と傾きに合わせる方位・傾き調整手段とを有することを特徴とする携帯情報端末。
【請求項２】
天体状況表示手段が、表示部に、携帯情報端末の特定方向を第１のマークで表示し、天体の方位を円上に設けられる第２のマークで表示し、前記天体の傾きを前記第１のマークに対して直線に沿って設けられる第３のマークで表示したことを特徴とする請求項１記載の携帯情報端末。
【請求項３】
方位・傾き調整手段が、携帯情報端末の特定方向を変えることで、第２のマークが円上を移動可能となり、第１のマークの位置に合わせることで天体の方位に合わせられることを特徴とする請求項２記載の携帯情報端末。
【請求項４】
方位・傾き調整手段が、携帯情報端末の特定方向を変えることで、第３のマークが直線に沿って移動可能となり、当該直線の中央位置に合わせることで天体の傾きに合わせられることを特徴とする請求項２又は３記載の携帯情報端末。
【請求項５】
天体状況表示手段が、表示部に、天体の方位と傾きを表示すると共に、天体座標、観測地点及び観測日時を表示することを特徴とする請求項１乃至４のいずれか記載の携帯情報端末。
【請求項６】
天体観測に用いられ、天体望遠鏡に取り付けられる携帯情報端末で動作する天体観測用プログラムであって、
前記携帯情報端末を、
表示部に表示された観測対象の天体を操作部の操作によって選択する天体選択手段と、
通信部で観測地点と観測日時を取得し、前記選択された天体について天体座標を演算し、これら情報を基に天体の方位と傾きを演算し、前記携帯情報端末の特定方向に対して天体の方位と傾きを前記表示部に表示する天体状況表示手段と、
前記特定方向を変えることで前記天体の方位と傾きに合わせる方位・傾き調整手段として機能させることを特徴とする天体観測用プログラム。
【請求項７】
天体状況表示手段が、表示部に、携帯情報端末の特定方向を第１のマークで表示し、天体の方位を円上に設けられる第２のマークで表示し、前記天体の傾きを前記第１のマークに対して直線に沿って設けられる第３のマークで表示したことを特徴とする請求項６記載の天体観測用プログラム。
【請求項８】
方位・傾き調整手段が、携帯情報端末の特定方向を変えることで、第２のマークが円上を移動可能となり、第１のマークの位置に合わせることで天体の方位に合わせられることを特徴とする請求項７記載の天体観測用プログラム。
【請求項９】
方位・傾き調整手段が、携帯情報端末の特定方向を変えることで、第３のマークが直線に沿って移動可能となり、当該直線の中央位置に合わせることで天体の傾きに合わせられることを特徴とする請求項７又は８記載の天体観測用プログラム。
【請求項１０】
天体状況表示手段が、表示部に、天体の方位と傾きを表示すると共に、天体座標、観測地点及び観測日時を表示することを特徴とする請求項６乃至９のいずれか記載の天体観測用プログラム。
【請求項１１】
請求項１乃至５のいずれか記載の携帯情報端末を収納する端末用ケースであって、
表示部を覆うよう形成された透明部材の窓部と、
前記窓部を囲むよう形成された枠部と、
天体望遠鏡に取り付けるバンド部とを備え、
前記窓部の中央縦方向に目印線を設けたことを特徴とする端末用ケース。
【請求項１２】
目印線は、窓部から延長して枠部にも形成されていることを特徴とする請求項１１記載の端末用ケース。
【請求項１３】
請求項１乃至５のいずれか記載の携帯情報端末を収納する端末用ケースであって、
表示部を覆うよう形成された透明部材の窓部と、
前記窓部を囲むよう形成された枠部と、
天体望遠鏡に取り付けるバンド部とを備え、
前記枠部の中央縦方向に目印線を設けたことを特徴とする端末用ケース。
【請求項１４】
請求項１１乃至１３のいずれか記載の端末用ケースが取り付けられる天体望遠鏡であって、
天体望遠鏡の筒に、天体望遠鏡の方向に沿って位置合わせ線が形成され、
前記位置合わせ線は、前記端末用ケースの縦方向の長さより長く形成されていることを特徴とする天体望遠鏡。
【発明の詳細な説明】
【技術分野】
【０００１】
本発明は、スマートフォン等の携帯情報端末で用いられる天体観測用プログラムに係り、特に、天体望遠鏡に取り付けて観測対象の天体に天体望遠鏡を容易に設定できる携帯情報端末及び天体観測用プログラムに関する。
【背景技術】
【０００２】
［従来の技術］
天体観測又は天体撮影を容易にする装置について、以下の関連する先行技術がある。
例えば、特開平０７−１２９０８３号公報「天文観測方位検出装置」（日本無線株式会社）［特許文献１］、特開２００１−１８３９７６号公報「星図ナビゲーションシステム」（三浦英美）［特許文献２］、特開２００８−１７２２３号公報「撮像装置、撮像装置のガイド表示方法及びプログラム」（カシオ計算機株式会社）［特許文献３］がある。
【０００３】
特許文献１には、天文観測方位検出装置において、ＧＰＳ受信部を備え、観測したい星の軌道データ、観測位置情報、観測年月日、観測時刻所をパラメータとして、当該星の位置を計算し出力することが示されている。
【０００４】
特許文献２には、星図ナビゲーションシステムにおいて、ＧＰＳのターミナルを用い、画面にその時にその場所から指定した方角の空に見える太陽、月、主な惑星・恒星、主な星雲・星団、主な恒星を結んでできる星座の位置を表示し、それらの名前を表示することが示されている。
【０００５】
特許文献３には、撮像装置において、装置の配置位置、配置姿勢、時刻を指定する方位・３次元傾斜角センサ、姿勢検出部、ＧＰＳ受信アンテナ、ＧＰＳレシーバとを備え、天体等の被写体の配置状況を示す規則を参照して配置位置、配置姿勢、時刻から被写体の配置状況を示すガイド画像を表示することが示されている。
【先行技術文献】
【特許文献】
【０００６】
【特許文献１】特開平０７−１２９０８３号公報
【特許文献２】特開２００１−１８３９７６号公報
【特許文献３】特開２００８−０１７２２３号公報
【発明の概要】
【発明が解決しようとする課題】
【０００７】
しかしながら、従来の天体観測用の装置では、天体望遠鏡に取り付けられる簡単な装置を用いて天体望遠鏡の方位と傾きを簡易に設定できるものとはなっていないという問題点があった。
【０００８】
特に、従来の装置では、天体の方位と位置を検出して表示するものであるが、それを参照しながら観測対象の天体に対して天体望遠鏡の方位と傾きを容易に調整できるものとはなっていないものである。
【０００９】
本発明は上記実情に鑑みて為されたもので、天体望遠鏡に取り付け、天体望遠鏡の方位と傾きを簡易に設定できる携帯情報端末及び天体観測用プログラムを提供することを目的とする。
【課題を解決するための手段】
【００１０】
上記従来例の問題点を解決するための本発明は、天体観測に用いられ、天体望遠鏡に取り付けられる携帯情報端末であって、制御部と、記憶部と、表示部と、操作部と、通信部とを備え、記憶部には、天体望遠鏡の方位と傾きを調整するためのプログラムが記憶され、制御部がプログラムを動作させることで実現する機能実現手段として、表示部に表示された観測対象の天体を操作部の操作によって選択する天体選択手段と、通信部で観測地点と観測日時を取得し、選択された天体について天体座標を演算し、これら情報を基に天体の方位と傾きを演算し、携帯情報端末の特定方向に対して天体の方位と傾きを表示部に表示する天体状況表示手段と、特定方向を変えることで天体の方位と傾きに合わせる方位・傾き調整手段とを有することを特徴とする。
【００１１】
本発明は、上記携帯情報端末において、天体状況表示手段が、表示部に、携帯情報端末の特定方向を第１のマークで表示し、天体の方位を円上に設けられる第２のマークで表示し、前記天体の傾きを前記第１のマークに対して直線に沿って設けられる第３のマークで表示したことを特徴とする。
【００１２】
本発明は、上記携帯情報端末において、方位・傾き調整手段が、携帯情報端末の特定方向を変えることで、第２のマークが円上を移動可能となり、第１のマークの位置に合わせることで天体の方位に合わせられることを特徴とする。
【００１３】
本発明は、上記携帯情報端末において、方位・傾き調整手段が、携帯情報端末の特定方向を変えることで、第３のマークが直線に沿って移動可能となり、当該直線の中央位置に合わせることで天体の傾きに合わせられることを特徴とする。
【００１４】
本発明は、上記携帯情報端末において、天体状況表示手段が、表示部に、天体の方位と傾きを表示すると共に、天体座標、観測地点及び観測日時を表示することを特徴とする。
【００１５】
本発明は、天体観測に用いられ、天体望遠鏡に取り付けられる携帯情報端末で動作する天体観測用プログラムであって、携帯情報端末を、表示部に表示された観測対象の天体を操作部の操作によって選択する天体選択手段と、通信部で観測地点と観測日時を取得し、選択された天体について天体座標を演算し、これら情報を基に天体の方位と傾きを演算し、携帯情報端末の特定方向に対して天体の方位と傾きを表示部に表示する天体状況表示手段と、特定方向を変えることで天体の方位と傾きに合わせる方位・傾き調整手段として機能させることを特徴とする。
【００１６】
本発明は、上記天体観測用プログラムにおいて、天体状況表示手段が、表示部に、携帯情報端末の特定方向を第１のマークで表示し、天体の方位を円上に設けられる第２のマークで表示し、天体の傾きを第１のマークに対して直線に沿って設けられる第３のマークで表示したことを特徴とする。
【００１７】
本発明は、上記天体観測用プログラムにおいて、方位・傾き調整手段が、携帯情報端末の特定方向を変えることで、第２のマークが円上を移動可能となり、第１のマークの位置に合わせることで天体の方位に合わせられることを特徴とする。
【００１８】
本発明は、上記天体観測用プログラムにおいて、方位・傾き調整手段が、携帯情報端末の特定方向を変えることで、第３のマークが直線に沿って移動可能となり、当該直線の中央位置に合わせることで天体の傾きに合わせられることを特徴とする。
【００１９】
本発明は、上記天体観測用プログラムにおいて、天体状況表示手段が、表示部に、天体の方位と傾きを表示すると共に、天体座標、観測地点及び観測日時を表示することを特徴とする。
【００２０】
本発明は、上記携帯情報端末を収納する端末用ケースであって、表示部を覆うよう形成された透明部材の窓部と、窓部を囲むよう形成された枠部と、天体望遠鏡に取り付けるバンド部とを備え、窓部の中央縦方向に目印線を設けたことを特徴とする。
【００２１】
本発明は、上記端末用ケースにおいて、目印線が、窓部から延長して枠部にも形成されていることを特徴とする。
【００２２】
本発明は、上記携帯情報端末を収納する端末用ケースであって、表示部を覆うよう形成された透明部材の窓部と、窓部を囲むよう形成された枠部と、天体望遠鏡に取り付けるバンド部とを備え、枠部の中央縦方向に目印線を設けたことを特徴とする。
【００２３】
本発明は、上記端末用ケースが取り付けられる天体望遠鏡であって、天体望遠鏡の筒に、天体望遠鏡の方向に沿って位置合わせ線が形成され、位置合わせ線が、端末用ケースの縦方向の長さより長く形成されていることを特徴とする。
【発明の効果】
【００２４】
本発明によれば、天体観測に用いられ、天体望遠鏡に取り付けられる携帯情報端末であって、制御部がプログラムを動作させることで実現する機能実現手段として、天体選択手段が、表示部に表示された観測対象の天体を操作部の操作によって選択し、天体状況表示手段が、通信部で観測地点と観測日時を取得し、選択された天体について天体座標を演算し、これら情報を基に天体の方位と傾きを演算し、携帯情報端末の特定方向に対して天体の方位と傾きを表示部に表示し、方位・傾き調整手段が、特定方向を変えることで天体の方位と傾きに合わせる携帯情報端末としているので、天体望遠鏡の方位と傾きを観測対象の天体の方位と傾きに簡易に設定できる効果がある。
【図面の簡単な説明】
【００２５】
【図１】本発明の実施の形態に係る携帯情報端末の構成ブロック図である。
【図２】天体望遠鏡に本端末を取り付けた場合の概略図である。
【図３】本アプリによる処理フローチャートである。
【図４】方位調整の表示画面を示す図である。
【図５】傾き調整の表示画面を示す図である。
【図６】方位・高度補正画面を示す図である。
【図７】天体望遠鏡に端末ケースを装着する別の例を示す図である。
【発明を実施するための形態】
【００２６】
本発明の実施の形態について図面を参照しながら説明する。
［実施の形態の概要］
本発明の実施の形態に係る携帯情報端末は、スマートフォン等の端末装置であり、天体観測用のアプリケーション（天体観測用プログラム）をダウンロードしてインストールし、当該端末装置を天体望遠鏡に取り付け、アプリケーションを起動して、観測対象の天体を選択し、天体のナビゲーションを開始すると、天体望遠鏡を向ける方位と傾きが調整可能となり、方位と傾きが調整されると、ファインダーで更に天体望遠鏡を微調整して、天体望遠鏡による天体観測が可能となるものであり、観測対象の天体に天体望遠鏡の方位と傾きを容易に設定でき、天体観測を短時間で準備できるものである。
【００２７】
［本端末：図１］
本発明の実施の形態に係る携帯情報端末について図１を参照しながら説明する。図１は、本発明の実施の形態に係る携帯情報端末の構成ブロック図である。
本発明の実施の形態に係る携帯情報端末（本端末）１は、図１に示すように、制御部１１と、記憶部１２と、表示部１３と、操作部１４と、通信部１５とを基本的に有している。
尚、本端末１は、スマートフォン、タブレット端末等、更に天体観測用の専門の装置であってもよい。
【００２８】
［本端末の取り付け：図２］
本端末１の天体望遠鏡への取り付けについて図２を参照しながら説明する。図２は、天体望遠鏡に本端末を取り付けた場合の概略図である。
図２に示すように、天体望遠鏡の本体に沿って望遠鏡の筒の背の部分に載せるように、本端末１を取り付ける。この場合、本端末１の正面に対する上方向を天体望遠鏡の筒の観測方向に合わせるようにする。天体望遠鏡の方向と本端末１の方向が一致していないと、本端末１でガイドする天体の方位と傾きに天体望遠鏡の方向を合わせても、目的の天体方向に天体望遠鏡をセットできないことになる。
【００２９】
図２では、本端末１を端末用のケースに収納して天体望遠鏡の本体に装着している。端末用のケースは、表面が本端末１を操作できるよう透明部材で窓部が形成され、望遠鏡の筒に固定するためのバンド部を備えている。
透明部材は、例えば、ＰＶＣ（ポリ塩化ビニル）等の軟質シートであり、本端末１を収納した状態で上から本端末１の表示を見ることができ、更に本端末１のタッチパネルの操作を行うことができるものである。
図２の場合、本端末１は、端末用のケースの裏面又は側面の挿入口から挿入されて収納されるようになっている。
【００３０】
［本端末１の各部］
本端末１の各部について具体的に説明する。
記憶部１２は、ネットワーク経由でダウンロードしてインストールされた天体観測用アプリケーション（天体観測用のコンピュータプログラム／天体観測用プログラム）を記憶している。
また、記憶部１２には、天体観測用アプリケーション（本アプリ）の動作に必要なデータ等も本アプリのダウンロードの際に一緒にダウンロードされて記憶されている。
【００３１】
具体的には、本アプリでは、「天体マメ知識」の提供、「天文イベント」の提供、更に、特定の天体に対して天体望遠鏡の設定をナビゲーションする「天体一覧」を提供する。
従って、記憶部１２には、天体観測を行うに当たっての最低限必要な知識となる天体マメ知識のデータ、年間を通して何時に天文イベントが発生するかを示す天文イベントのデータ、天体一覧の各天体について図と関連情報、更に各天体の方位と傾きを求めるためのパラメータ及び天文軌道計算式等を記憶している。
【００３２】
表示部１３は、各種情報を表示するものである。
操作部１４は、必要な指示を入力するものである。
本端末１では、スマートフォン又はタブレットを想定しているので、タッチパネルにより表示部１３と操作部１４が一体化されている。
【００３３】
通信部１５は、本端末１を外部のネットワークに接続して、本アプリと関連データをダウンロードするのに用いられる。
また、通信部１５には、ＧＰＳ（Global Positioning System）受信機を備えており、ＧＰＳ衛星からのＧＰＳ信号を受信して、本端末１の位置と時間を検出する。尚、本端末１の位置を検出するのに、ＧＰＳ信号だけでなく基地局からの信号も併せて利用するようにしてもよい。
【００３４】
制御部１１には、地磁気センサを内蔵し、地磁気の強さで方位を検出する電子コンパスを備えている。電子コンパスによって、本端末１の方位を示すことができる。
また、制御部１１は、記憶部１２に記憶された本アプリを動作させて実現させる機能として、メニュー選択手段、天体情報表示手段、認証処理手段、操作画面表示手段、天体状況表示手段、方位・傾き調整手段等の処理手段がある。以下、詳細に説明する。
【００３５】
［処理手段］
［メニュー選択手段］
本アプリを起動させると、メニュー選択手段が動作して、「天体マメ知識」「天体一覧」「天文イベント」のいずれかを選択させる選択画面を表示する。
ここで、「天体マメ知識」が選択されると、天体望遠鏡の種類、天体望遠鏡の使い方等の情報を提供する天体望遠鏡ガイドと、星の動き、星の種類等の情報を提供する天体マメ知識ガイドを表示し、ユーザが必要な項目を選択すると、該当する情報が表示される。
また、「天文イベント」が選択されると、１年を通して天体を楽しめる天体イベントのカレンダーが表示される。当該天文イベントで、イベントをユーザが選択すると、イベントに該当する天体の情報が表示される。
【００３６】
［天体情報表示手段］
天体情報表示手段は、メニュー選択手段で「天体一覧」が選択されると、選択可能な天体（天体名）一覧を表示し、更に当該一覧から特定の天体（天体名）が選択されると、当該天体の情報を表示する。具体的には、選択された天体の図と当該天体の関連情報が表示される。
【００３７】
［認証処理手段］
認証処理手段は、天体情報表示手段で選択されて表示した天体について、天体望遠鏡の設定のガイダンス（天体の位置に天体望遠鏡を設定するためのナビゲーション）を開始する指示が操作部１４から入力されると、認証番号の入力を促す認証番号入力画面を表示する。
そして、認証処理手段は、入力された認証番号について適正か否かを判定し、適正であれば上記ナビゲーション機能が利用可能となるものである。認証処理は、初回の利用時のみ行い、一度認証すれば、その後は省略するようにしてもよい。
認証番号は、例えば、天体望遠鏡の取扱説明書等に印刷されている。
【００３８】
［操作画面表示手段］
操作画面表示手段は、認証処理手段で正しい認証番号が入力されたことを認証すると、本アプリの操作画面を表示する。
操作画面としては、本端末１の設定方法、方位の調整方法、傾きの調整方法、コンパス補正方法を説明している。
コンパスの補正方法は、本端末１を正しく天体望遠鏡に取り付けたにも拘らず、本アプリを使用しても、天体望遠鏡のファインダー内に観測対象の天体が捉えられない場合に、本端末１にＧＰＳ誤差がある可能性がある。この場合、本アプリで天体に北極星を選択し、天体望遠鏡を北極星の方位と傾きに設定し、更にファインダーを覗いて北極星を天体望遠鏡で捕らえるようにする。この状態でコンパス補正のボタンを押すと、本アプリ内で現在の方位と傾きが補正されるというものである。北極星の代わりの天体でコンパス補正を行ってもよい。
【００３９】
［天体状況表示手段］
天体状況表示手段は、操作画面で「開始（Start）」が選択されると、天体情報表示手段で選択された天体の方位と傾きを表示する。
また、天体状況表示手段は、画面下側に天体座標、観測地点、観測日時の情報も表示する。
天体座標は、観測日時の情報に基づいて天文軌道計算で演算された観測対象の天体の座標である。尚、天体一覧にある天体について、天文軌道計算を行うためのパラメータ及び軌道計算式は記憶部１２に記憶されている。
観測地点は、ＧＰＳ受信機等を用いて検出された本端末１の位置情報である。
観測日時は、ＧＰＳ受信機等を用いて取得した現在の日時の情報である。
【００４０】
天体状況表示手段で表示される画面は、本端末１の特定方向を示す第１のマークを表示し、その第１のマークの内側に描画される円上に天体の方位を示す第２のマークを表示する。
つまり、二重の円が描画され、外側の円の真上（本端末１の正面に対して上）の位置に第１のマークが黄色で表示され、内側の円上にコンパスの東西南北（Ｅ，Ｗ，Ｓ，Ｎ）を表示し、更に天体の方位が第２のマークとして黄色で表示される。
【００４１】
また、表示画面の正面に対して縦方向（垂直方向）に２本の直線が描画され、その間に天体の傾きが第３のマークとして赤丸で表示される。直線の上側が（−）で下側が（＋）で、中央位置が天体の傾きに合致した位置となるようになっている。
【００４２】
［方位・傾き調整手段］
方位・傾き調整手段は、天体状況表示手段で表示した天体の方位と傾きに対して、天体望遠鏡の方向（本端末１の方向）を移動（変化）させることで天体に対する天体望遠鏡の方位と傾きを調整可能とするものである。
【００４３】
具体的には、第１のマークに対して天体望遠鏡の方位を移動させて第２のマークが重なるように（第１のマークと第２のマークが同じ方向を向くように）なると、天体望遠鏡の方位が天体の方位とほぼ一致することになり、その状態で天体望遠鏡の傾きを変化させて第３のマークが直線の中央部分に位置するようにすることで、天体望遠鏡の傾きが天体の傾きとほぼ一致することになる。
尚、第３のマークが適正範囲となった場合に、音を発生させるようにしている。
【００４４】
天体望遠鏡の方位と傾きが方位・傾き調整手段で調整されたならば、スコープで天体の位置を確認して天体望遠鏡の方向を微調整すると、観測目的の天体に対して天体望遠鏡を容易にセットできる効果がある。
【００４５】
［本アプリの処理フロー：図３］
本アプリの処理について図３を参照しながら説明する。図３は、本アプリによる処理フローチャートである。尚、図３では、メニュー選択手段で天体一覧が選択された後の処理を示している。
図３に示すように、天体一覧が選択されると、天体情報表示手段は、選択可能な天体一覧のリストを表示し（Ｓ１）、そのリストから天体が選択されたか否か判定し（Ｓ２）、選択されなければ（Ｎｏの場合）、処理Ｓ１に戻り、選択されれば（Ｙｅｓの場合）、選択された天体の天体情報を表示する（Ｓ３）。
【００４６】
次に、天体情報が表示された画面で、天体のナビゲーションを開始する指示が入力されたか否かを判定し（Ｓ４）、開始されない場合（Ｎｏの場合）、終了か否かを判定し（Ｓ５）、終了であれば（Ｙｅｓの場合）、処理を終了する。また、終了でない場合（Ｎｏの場合）、処理Ｓ３に戻る。
【００４７】
天体のナビゲーションが開始されたならば（Ｙｅｓの場合）、操作画面表示手段が操作画面を表示する（Ｓ６）。尚、ナビゲーションの利用が最初（初回）であれば、認証処理手段による認証処理を行い、認証された場合に、操作画面表示手段を起動するようにしてもよい。
【００４８】
その後、操作画面で操作開始の指示が入力されたか否かを判定し（Ｓ７）、操作開始されない場合（Ｎｏの場合）、処理Ｓ６に戻る。操作開始の指示が入力されると（Ｙｅｓの場合）、天体状況表示手段が天体の方向と傾きを表示し、方位・傾き調整手段により方位の調整が為され（Ｓ８）、傾きの調整が為されて（Ｓ９）、天体望遠鏡の方位と傾きが観測対象の天体の方位と傾きにほぼ一致するようになる。
【００４９】
［方位調整の表示画面：図４］
次に、方位調整の表示画面について図４を参照しながら説明する。図４は、方位調整の表示画面を示す図である。
方位調整前は、外側の円の白い帯状の部分（第１のマーク：実際の表示画面では黄色の帯状部分）が表示画面の正面に対して真上に位置しており、通常、内側の円上に表示される白い帯状の部分（第２のマーク：実際の表示画面では黄色の帯状部分）は、第１のマークと一致しない方向にある。
図４では、天体望遠鏡の方位を調整して第１のマークの位置に第２のマークの位置を移動させるようにして、天体望遠鏡の方位と天体の方位を一致させるものである。
【００５０】
［傾き調整の表示画面：図５］
次に、傾き調整の表示画面について図５を参照しながら説明する。図５は、傾き調整の表示画面を示す図である。
図４の状態で、今度は、天体望遠鏡の傾きを調整することで、図５に示すように、２本の直線の間にある白く光る円（第３のマーク：実際の表示画面では赤く光る丸形状）を中央の位置まで移動させるようにして、天体望遠鏡の傾きと天体の傾きを一致させるものである。
【００５１】
第３のマークが、中央の位置近辺に移動すると、傾き調整が適正に行われたことを示す音を発生させる。特に、天体観測が暗い所で行われるため、音による通知は有効である。尚、通知音は、図５の右下の「Ｓｔｏｐ」ボタンをタップすることで停止できる。
【００５２】
［方位・高度補正］
本アプリを使用する前の準備作業と本アプリを適正に利用するための方位・高度の補正について具体的に説明する。
［ファインダー合わせ］
天体望遠鏡本体の向きとファインダーの向きがずれていると、天体を見つけることが困難になる。
そこで、昼間に、遠くの電信柱やビルのアンテナのてっぺんなどの目印を探し、天体望遠鏡に倍率の低いアイピースを付けて、目印が中央に見えるように天体望遠鏡を動かして固定する。
【００５３】
次に、ファインダーをのぞきながら目印がファインダーの中央にくるように、ファインダーの向きと角度を調整する。天体望遠鏡本体とファインダーで同じ目印が中央に見えるようになっていれば、ファインダー合わせは完了する。
【００５４】
［方位・高度の事前補正：図６］
コンパスの補正方法について上述したが、もう少し具体的に図６を参照しながら説明する。図６は、方位・高度補正画面を示す図である。
スマートフォンに内蔵されている電子コンパスなどのセンサは、周囲の環境やスマートフォン本体の熱などにより誤差が生じる。誤差の大きさは機種によって様々で、数度から数十度の幅があり、誤差が大きいと天体を探すことができなくなる。
【００５５】
そこで、本アプリを使用する際に、誤差分を補正することが望まれる。
具体的には、星座をたよりに北極星を見つける。天体望遠鏡のファインダーで北極星を視野に入れ、天体望遠鏡をのぞいたとき、視野の中央に北極星がくるように合わせる。この状態で、天体望遠鏡を固定する。
【００５６】
本アプリの天体一覧画面（天体一覧リストの画面）の「恒星」一覧の中から「ポラリス（北極星）」を選択し、天体のナビゲーションを開始する指示を入力する。
天体状況表示手段が、天体（北極星）の方向（方位）と傾きを表示するが、方位と傾きがずれている場合がある。
方位がずれている場合は、第１のマークと第２のマークが一致しない場合であり、傾きがずれている場合は、第３のマークが中央の位置にない場合である。
【００５７】
この場合は、図４、図５に示す右上の「コンパス」マーク（コンパス補正ボタン）をタップすると、電子コンパスの補正が開始される。
電子コンパスの補正画面は、図６に示すように、「現在の方位、高度で補正」ボタンをタップすると、現在の誤差を補正値として記憶して、第１のマークと第２のマークが一致し、第３のマークが中央に揃う。補正中は、コンパス補正ボタンが赤く点灯する。
【００５８】
ここで、第１のマークは、天体望遠鏡の方向を示しており、第２のマークは、天体の方向（方位）を示すもので、第２のマークを「方位ライト」と称して、第１のマークを照らすように調整ものである。
また、第３のマークは、傾きを示すもので「ポインタ」と称して、画面中央に位置するよう調整するものである。
【００５９】
［補正解除］
補正を解除したい場合には、電子コンパスの補正画面において、コンパス補正ボタンをタップし、「補正値をクリア」ボタンをタップすると、補正が解除される。
電子コンパスの補正画面における「キャンセル」は、単に画面をキャンセルして、天体状況表示手段が、天体の方位と傾きを表示する画面に戻るものである。
【００６０】
長時間の使用により、スマートフォンの熱や周囲の磁気環境の変化などにより、誤差の大きさが変化する場合がある。本アプリの使用中に天体の位置のずれが大きくなってきた場合には、再度、電子コンパスの補正を行うのがよい。その場合に、北極星で位置合わせする必要はなく、北極星以外の恒星、例えば、観察中の恒星又はその近くの恒星に基づいて補正を行ってもよい。
【００６１】
［望遠鏡への端末用ケースの装着例：図７］
次に、端末用ケースと、望遠鏡本体への端末用ケースの取り付けについて図７を参照しながら説明する。図７は、天体望遠鏡に端末ケースを装着する別の例を示す図である。図７（ａ）が望遠鏡の筒の一部を示す図であり、図７（ｂ）が端末用ケースの概略を示す図であり、図（ｃ）が天体望遠鏡に端末用ケースが取り付けられた状態を示す図である。
【００６２】
図７（ａ）に示すように、まず、天体望望遠鏡の本体の筒２には、端末用ケース（端末ケース）３より長い位置合わせ線２１が、筒２の長手方向に形成されている。
端末ケース３は、図７（ｂ）に示すように、透明部材から成る窓部３２が形成され、筒２に取り付けられるバンド部３１を備え、更に、窓部３２の中央縦方向に目印線３３が形成されている。
【００６３】
目印線３３は、窓部３２だけでなく、窓部３２を囲む枠部にも延長して形成され、筒２の位置合わせ線２１と位置合わせできるようになっている。
また、目印線３３は、挿入される本端末１の表示画面を見易くするために、細い線、若しくは薄い線、色の付いた透過性の線であるのが望ましい。
【００６４】
そして、筒２上に本端末１を収納した端末ケース３を設置する。設置はバンド部３１で筒２に固定する。
その設置の際には、位置合わせ線２１と目印線３３とが重なるようにする。これにより、天体望遠鏡の方向に端末ケース３の方向を正確に合わせることができる。
【００６５】
また、端末ケース３に本端末１が正しく収納された状態では、特に、天体の方位と傾きを表示する画面では、傾きを示すポインタの動きが目印線３３に重なるか若しくは並行となるため、本端末１の正しい位置に設定し易い。
【００６６】
従って、端末ケース３の目印線３３に天体の方位と傾きを表示する画面のポインタの動きが並行となるよう本端末１を設定すれば、本端末１と端末ケース３との方向（方位）を一致させることができる。
更に、天体望遠鏡の筒２の位置合わせ線２１に端末ケース３の目印線３１を合わせるようにすれば、端末ケース３と天体望遠鏡の方向を一致させることができる。
結果として、本端末１の方向と天体望遠鏡の方向を正しく一致させることができる。
【００６７】
尚、上記端末ケース３において、枠部には目印線３３を形成せず、窓部３２にのみ形成してもよく、また、窓部３２に目印線３３を形成せず、枠部にのみ形成してもよい。
枠部のみに目印線を形成する場合には、枠部の上下双方に形成してもよく、上下のいずれか一方に形成してもよい。
また、窓部３２又は枠部に形成される目印線３３は、色の付いた線に限らず、識別できる凹凸形状の線であってもよい。
【００６８】
［実施の形態の効果］
本実施の形態によれば、天体望遠鏡に本端末１を取り付けた状態で、本アプリのナビゲーション機能により、選択された天体の方位と傾きに天体望遠鏡の方位と傾きを合わせられるので、天体望遠鏡の位置及び方向を容易に設定できる効果がある。
【産業上の利用可能性】
【００６９】
本発明は、天体望遠鏡に取り付け、天体望遠鏡の方位と傾きを簡易に設定できる携帯情報端末及び天体観測用プログラムに好適である。
【符号の説明】
【００７０】
１...携帯情報端末（本端末）、２...筒、  ３...端末用ケース（端末ケース）、  １１...制御部、  １２...記憶部、  １３...表示部、  １４...操作部、  １５...通信部、  ２１...位置合わせ線、  ３１...バンド部、  ３２...窓部、  ３３...目印線
【図１】
2014186316.tif 000003
【図２】
2014186316.tif 000004
【図３】
2014186316.tif 000005
【図４】
2014186316.tif 000006
【図５】
2014186316.tif 000007
【図６】
2014186316.tif 000008
【図７】
2014186316.tif 000009